(57)【要約】【課題】記録装置における検知センサーの個数を減少させることにより、記録装置全体のコストダウン、スペースの削減を目的とする。【解決手段】記録装置における搬送ベルト３１の寄り検知と縦ワイパー１３の終端到達検知とを兼用する検知手段と、上記検知手段は揺動するレバーを有し、フォトインタラプタにより構成されることを特徴とする記録装置。【選択図】　　　　図１
2004142317.tif 000002
【特許請求の範囲】
【請求項１】
被記録媒体の記録領域の全幅に渡って延在する記録手段を用いるフルマルチ型記録装置において、
被記録媒体を搬送する搬送ベルトの寄り検知と記録ヘッドをワイピングする縦ワイパーの終端到達検知とを兼用する検知手段を有することを特徴とする記録装置。
【請求項２】
上記検知手段は、搬送ベルト、および縦ワイパーと接触して揺動するレバーを有することを特徴とする請求項１記載の記録装置。
【請求項３】
上記検知手段は、フォトインタラプタにより構成されたことを特徴とする請求項１記載の記録装置。
【発明の詳細な説明】
【０００１】
【発明の属する技術分野】
本発明は記録装置に関するものである。
【０００２】
【従来の技術】
画像記録装置において、フルラインタイプの記録手段（記録デバイス）、つまり被記録媒体の記録領域の全幅に渡って延在する記録手段を用いるタイプがある。このフルラインタイプの記録手段としては、ライン形状のインクジェット方式の記録手段、あるいはＬＥＤ方式の記録手段などがある。このようなフルラインタイプの記録手段は、いずれも、そのライン形状の特徴を生かすことによって、高解像度の画像を高速記録することが可能である。
【０００３】
フルラインタイプの記録ヘッドとしては、例えば、１記録ヘッドあたりのノズル数が７２００ノズルある。そして、記録装置には画像形成するために、シアンインク、マゼンタインク、イエローインク、ブラックインクを吐出するヘッドが１本ずつ配置されている。
【０００４】
従来このような画像記録装置においては、搬送に伴って生じる搬送ベルトの寄り検知とヘッドワイピング時における縦ワイパーの終端到達検知とが必要である。
【０００５】
【発明が解決しようとする課題】
しかしながら、上記従来の技術例では、図９に示すように搬送ベルト３１の寄り検知と縦ワイパー１３の終端到達検知を行うために、それぞれベルト寄りセンサー１１、縦ワイプセンサー１２の二つの専用検知センサーを搭載し記録装置を構成していた。搬送ベルト３１の寄り検知は搬送ベルト３１の両端で必要であり、縦ワイパー１３の終端到達検知も同じく記録ヘッドの両端で必要であるため、これらの専用検知センサーはそれぞれ二つずつ必要であり装置全体のコストアップを招く原因となっていた。
【０００６】
本発明は上記問題点に着目してなされたものであって、フルラインタイプのインクジェット記録ヘッドを用いた記録装置において、搬送ベルトの寄り検知と縦ワイパーの終端到達検知を一つの兼用検知センサーで実現し、記録装置における検知センサーの個数を減少させることにより記録装置全体のコストダウンを行うことのできる記録装置を提供することを目的としている。
【０００７】
【課題を解決するための手段】
本発明は上記課題を解決するために、上記記録装置において、搬送ベルト寄りセンサーと縦ワイプセンサーの二つの専用検知センサーが時間的に同時に検知を行うことがない点に着目し、それら二つの専用検知センサーを、搬送ベルトの寄り検知と縦ワイパーの終端到達検知との異なる二種類の検知を両方兼ねた一つの兼用検知センサーで置き換えることにより、上記記録装置内を占有するスペースの削減を実現することを特徴とする。
【０００８】
上記兼用検知センサーは、搬送ベルト、および縦ワイパーと接触して揺動するレバーを有することを特徴とする。また上記兼用検知センサーはフォトインタラプタにより構成されたことを特徴とする。
【０００９】
以上の構成を改めて以下（１）〜（３）に整理して示す。
【００１０】
（１）被記録媒体の記録領域の全幅に渡って延在する記録手段を用いるフルマルチ型記録装置において、
被記録媒体を搬送する搬送ベルトの寄り検知と記録ヘッドをワイピングする縦ワイパーの終端到達検知とを兼用する検知手段を有する記録装置。
【００１１】
（２）上記検知手段は、搬送ベルト、および縦ワイパーと接触して揺動するレバーを有する上記（１）記載の記録装置。
【００１２】
（３）上記検知手段は、フォトインタラプタにより構成された上記（１）記載の記録装置。
【００１３】
【発明の実施の形態】
以下、本発明の実施形態を図面に基づいて説明する。
【００１４】
【実施例】
図１は本発明の記録装置全体構成の断面を示す。この図で給紙部、搬送部、記録ヘッド部、排紙部の説明をする。
【００１５】
給紙部は記録紙Ｐを積載する圧板２１と記録紙Ｐを給紙する給送回転体２２がベース２０に結合された回転軸を中心に回転可能で、圧板バネ２４により給送回転体２２に付勢される。圧板２１には記録紙Ｐの重送を防止する摩擦係数の大きい不図示の分離パッドと記録紙Ｐを分離する不図示の分離爪がある。圧板２１と給送回転体２２の当接を解除する不図示のリリースカムが設けられている。
【００１６】
上記構成において待機状態ではリリースカムが圧板２１を押し下げている。これにより圧板２１と給送回転体２２の当接は解除されている。そして、この状態で搬送ローラー３２の駆動力が、ギヤなどにより給送回転体２２およびリリースカムに伝達されると、リリースカムが圧板２１から離れ、圧板２１は上昇し、給送回転体２２と記録紙Ｐが当接し、給送回転体２２の回転にともない記録紙Ｐはピックアップされ給紙を開始する。給送回転体２２は記録紙Ｐを搬送部に送り込むまで回転する。
【００１７】
搬送部は記録紙Ｐを吸着し、搬送する搬送ベルト３１と不図示のＰＥセンサーを有している。
【００１８】
搬送ベルト３１は駆動ローラー３４で駆動され、従動ローラーである搬送ローラー３２および圧力ローラー３５で巻架されている。駆動ローラー３４はベルトモーター５０が駆動源である。
【００１９】
搬送ベルト３１はポリエチレンなどの合成樹脂でできており、無端ベルト形状である。不図示の給電手段は約０．５ｋＶから１０ｋＶの電圧を印加させ、記録紙Ｐを搬送ベルト３１に密着させる。（給電手段と高電圧発生手段と高電圧制御手段の説明は略す。）
搬送ベルト３１は標準の記録モードでは１７０ｍｍ／Ｓｅｃの速度で動く。搬送する記録紙同士の距離（通称：紙−紙間距離）はＡ４サイズで、標準の記録モードであれば１０ｃｍである。
【００２０】
搬送ローラー３２と対抗する位置には搬送ベルト３１と従動するピンチローラー３３が当接している。搬送ローラー３２の搬送方向下流には記録ヘッド７Ｙ，７Ｍ，７Ｃ，７Ｓ，７Ｋが設けられている。各記録ヘッドの間隔は１０ｃｍである。
【００２１】
この記録ヘッド７Ｙ，７Ｍ，７Ｃ，７Ｓ，７Ｋの解像度は６００ＤＰＩである。搬送方向と直交する方向に複数のノズルが配列されたラインタイプのインクジェットの記録ヘッドである。
【００２２】
これらの記録ヘッド７Ｙ，７Ｍ，７Ｃ，７Ｓ，７Ｋはヒーター等によりインクに熱を与えることが可能になっている。この熱によりインクは膜沸騰し、この膜沸騰による気泡の成長または収縮によって生じる圧力変化によって、ノズルからインクが吐出され、記録紙Ｐ上に画像が形成される。
【００２３】
記録ヘッド７Ｙ，７Ｍ，７Ｃ，７Ｓ，７Ｋの１本あたりの最大消費電力は２００Ｗである。
【００２４】
排紙部は排紙ローラー４１と拍車４２とによって構成され、画像形成された記録紙Ｐは不図示の排紙モーターで駆動される排紙ローラー４１と拍車４２とに挟まれ、搬送されて排紙トレー４３に排出される。排紙ローラー４１の線速度も、搬送ベルト３１の速度のほぼ同等の速度で、標準の記録モードでは１７０ｍｍ／Ｓｅｃの速度で動く。
【００２５】
排紙センサー４０は排紙部での記録紙Ｐの有無を調べる。
【００２６】
分離センサー４９は搬送ベルト３１の排紙口側に配置され、搬送紙の有無を調べる。
【００２７】
なお、３８はクリーニングローラーである。搬送ベルト３１をクリーニングする場合に使用する。３９は除電ローラーである。
【００２８】
兼用検知センサー１５は、センサーレバーとフォトインタラプタを有し、搬送ベルト３１の寄りと縦ワイパー１３の終端到達の検知を兼用する検知センサーである。図２のように、兼用検知センサー１５は搬送ベルト３１および、縦ワイパー１３の両端に配置される。縦ワイパー１３は縦ワイパー支持台１４とともに縦ワイパー駆動モーター１９に駆動されヘッドの縦方向に移動することによりヘッドのワイピングを行う。
【００２９】
両端の二つの兼用検知センサー１５は全く同じ働きをするので、今後の説明は片側のセンサーのみで行う。
【００３０】
兼用検知センサー１５の詳細を図３で説明する。兼用検知センサー１５は光エネルギーを電気エネルギーに変換する受光素子とＬＥＤを利用した発光素子を対向させた凹溝に、光を遮断する検知レバーを出し入れすることにより検知を行うものであり、一般にフォトインタラプタと呼ばれている。検知が行われていない状態では図の実線で示す位置で検知レバー１７は静止している。光通過口は遮断されないため、センサー出力はＨＩである。
【００３１】
検知レバー１７に搬送ベルト３１の端、あるいは縦ワイパー１３が接触して検知レバー１７が回転軸１８を中心にして回転することにより、光通過口１６が遮られ、搬送ベルト３１の寄り、あるいは縦ワイパー１３の終端到達の検知が行われる。検知後のセンサー出力はＬＯとなる。
【００３２】
兼用検知センサー１５が検知した場合の検知対象が、搬送ベルト３１の寄りであるのか、あるいは縦ワイパー１３の終端到達であるのかの判別は、記録装置が記録紙Ｐを搬送中であるか否かにより決めることが可能である。即ち、図４のように記録紙Ｐが搬送中、つまり搬送ベルト３１が回転中の場合は、縦ワイパー１３はＨＰ（ホームポジション）に退避しており終端到達検知を行う必要はないので、検知センサー１５は搬送ベルト３１の寄りを検知するための検知センサーとして働く。一方、記録紙Ｐが搬送中でない、つまり搬送ベルト３１が停止中の場合は、搬送ベルト３１の寄り検知は必要ないので、縦ワイパー１３が終端に到達したか否かを検知するための検知センサーとして働く。
【００３３】
図５は兼用検知センサー１５が搬送ベルト３１の寄りを検知する一連の動作を示した図である。
【００３４】
図５（ａ）は記録紙Ｐに正常に記録が行われている状態を表す。図５（ｂ）は搬送により生じた搬送ベルト３１の寄りによって検知レバー１７に搬送ベルト３１が接触した状態であり、図５（ｃ）は搬送ベルト３１により検知レバー１７が押されフォトインタラプタが搬送ベルト３１の寄りを検知した状態を表している。
【００３５】
図６は兼用検知センサー１５が縦ワイパー１３の終端到達を検知する一連の動作を示した図である。
【００３６】
図６（ａ）は縦ワイパー１３が記録ヘッド７をワイピングしつつ図の左方向に移動している状態を表している。図６（ｂ）は縦ワイパー１３の移動により検知レバー１７に接触した状態を表している。図６（ｃ）は縦ワイパー１３の移動により検知レバー１７が押されフォトインタラプタが縦ワイパー１３の終端到達を検知した状態を表している。図６（ｄ）は縦ワイパー１３の検知後、縦ワイパー駆動モーター１９を逆回転で駆動させることにより、縦ワイパー１３が移動してきた方向とは逆方向にわずかに戻り、兼用検知センサー１５と記録ヘッド７の間の位置（ホームポジション）に退避した状態を表している。これは記録ヘッド７の縦ワイピングを印刷の前後で行う例である。
【００３７】
以上の条件を予めプログラムされたＲＯＭとＣＰＵによって判断し搬送ベルト３１および縦ワイパー１３の動作を制御する。
【００３８】
図７は記録装置の起動から終了までをヘッドワイピング、ベルト寄り検知を中心にフローチャートで示した図である。
【００３９】
図８は本発明の記録装置全体の制御ブロックを示す。
【００４０】
８０は制御部で、制御プログラムに従って動くＣＰＵ８０ａとそのプログラムを格納するＲＯＭ８０ｂと作業用のメモリであるＲＡＭ８０ｃで構成されている。ゲートアレー８０ｄはＣＰＵ８０ａとともに、記録ヘッド７への信号や吸着手段をコントロールするＬＳＩである。
【００４１】
この制御部とは以下に述べるものが、接続している。
【００４２】
５０はベルトモーターである。搬送ベルト３１を回転させる駆動源である。１９は縦ワイパー駆動モーターである。縦ワイパー１３をヘッド縦方向に移動させる駆動源である。
【００４３】
７Ｋはブラックの記録ヘッドである。７Ｃはシアンの記録ヘッドである。７Ｍはマゼンタの記録ヘッドである。７Ｙはイエローの記録ヘッドである。７Ｓは特殊インクの記録ヘッドである。
【００４４】
なお、本実施例では検知センサーにフォトインタラプタを用いているが、接点式のセンサー等であっても構わない。
【００４５】
【発明の効果】
以上説明したように、本発明では、記録装置がフルラインタイプのインクジェット記録ヘッドで構成されている場合に、搬送ベルトの寄り検知と縦ワイパーの終端到達検知とを一つの検知センサーで実現することにより、記録装置における検知センサー数の減少、スペースの削減が行われ、結果として装置全体のコストダウンが可能となる。
【図面の簡単な説明】
【図１】本発明に係る記録装置のメカの全体構成を示す断面図
【図２】本発明に係る記録装置の記録ヘッド、縦ワイパー、および兼用検知センサーの位置関係を示す断面図
【図３】本発明に係る兼用検知センサーの動作状態を示す図
【図４】本発明に係る兼用検知センサーの検知対象を示す表
【図５】本発明に係る搬送ベルト寄り検知が行われるまでの一連の動きを示す図
【図６】本発明に係る縦ワイパーの終点到達検知が行われるまでの一連の動きを示す図
【図７】本発明に係る検知センサーの処理手順の一例を示すフローチャート
【図８】本発明に係る記録装置全体の制御ブロックを示す図
【図９】従来例での搬送ベルト寄りセンサーと縦ワイプセンサーを示す図
【符号の説明】
Ｐ　記録紙
７　記録ヘッド
７Ｋ　ブラックの記録ヘッド
７Ｃ　シアンの記録ヘッド
７Ｍ　マゼンタの記録ヘッド
７Ｙ　イエローの記録ヘッド
７Ｓ　特殊インクの記録ヘッド
１１　ベルト寄りセンサー
１２　縦ワイプセンサー
１３　縦ワイパー
１４　縦ワイパー支持台
１５　兼用検知センサー
１６　光通過口
１７　検知レバー
１８　回転軸
１９　縦ワイパー駆動モーター
２０　ベース
２１　圧板
２２　給送回転体
２４　圧板バネ
３１　搬送ベルト
３２　搬送ローラー
３３　ピンチローラー
３４　駆動ローラー
３５　圧力ローラー
３８　クリーニングローラー
３９　除電ローラー
４０　排紙センサー
４１　排紙ローラー
４２　拍車
４３　排紙トレー
４９　分離センサー
５０　ベルトモーター
８０　制御部
８０ａ　ＣＰＵ
８０ｂ　ＲＯＭ
８０ｃ　ＲＡＭ
８０ｄ　ゲートアレー
【図１】
2004142317.tif 000003
【図２】
2004142317.tif 000004
【図３】
2004142317.tif 000005
【図４】
2004142317.tif 000006
【図５】
2004142317.tif 000007
【図６】
2004142317.tif 000008
【図７】
2004142317.tif 000009
【図８】
2004142317.tif 000010
【図９】
2004142317.tif 000011